(57)【要約】  【課題】  支持線に順次連続して巻き付けるスパイラルハンガーの先端（端末）の固定に好適な固定具を提供する。  【解決手段】  電柱ｄ，ｄ´間に架設した支持線ｍの嵌合溝６を先後方向に沿わせて設け、後端面に設けた接続手段に前記支持線ｍに巻き付けたスパイラルハンガーｈの端末を接続した固定具本体１と、該本体１に重ね合わせて止着して前記嵌合溝６の先後方向に沿う開口端を閉塞した挟持板３を備える。また、固定具本体１の前記嵌合溝６の相対する側壁には奥壁面同士が前記後端面側から先端方向に至るに従って次第に近接する傾斜状とした収納部８，８を相対設する。収納部８のそれぞれに、嵌合溝６内の前記支持線ｍに接触する一方の片面に相対する他の一方の片面が前記奥壁面８ａの傾斜角度と一致する挟持板３を移動自在に係合する。【特許請求の範囲】
【請求項１】
電柱間に架設した支持線の嵌合溝を先後方向に沿わせて設け、後端面に設けた接続手段に前記支持線に巻き付けたスパイラルハンガーの端末を接続した固定具本体と、該本体に重ね合わせて止着して前記嵌合溝の先後方向に沿う開口端を閉塞した挟持板を備えると共に、固定具本体の前記嵌合溝の相対する側壁には奥壁面同士が前記後端面側から先端方向に至るに従って次第に近接する傾斜状とした収納部を相対設し、該収納部のそれぞれに、嵌合溝内の前記支持線に接触する一方の片面に相対する他の一方の片面が前記奥壁面の傾斜角度と一致する挟持板を移動自在に係合した、ケーブル用スパイラルハンガーの端末固定具。
【発明の詳細な説明】
【技術分野】
【０００１】
本発明は、ケーブルを支持するために支持線（メッセンジャーワイヤー）に巻き付けて用いるスパイラルハンガーの端末を、前記支持線に固定するために用いる、ケーブル用スパイラルハンガーの端末固定具に関するものである。
【背景技術】
【０００２】
ケーブル用スパイラルハンガーの端末を固定するものとしては所謂バインド線を用いて支持線に縛り付ける手段が採られているが、スパイラルハンガーを支持線に専ら固定するものとしては、互いに相対向させて締付ける一対の挟持片で構成し、一方の挟持片の対向面に支持線用の係合溝を、他の一方の挟持片の対向面にスパイラルハンガー用の係合溝を、各係合溝に支持線又はスパイラルハンガーを係合させて両挟持片をボルトとナットとで締付けるようにした構造のものがある（例えば、特許文献１）。
【０００３】
【特許文献１】特開２０００−１８８８１７号公報
【発明の開示】
【発明が解決しようとする課題】
【０００４】
前記従来構造のものは、スパイラルハンガーの末端を支持線に固定できないものでもないが、ボルトとナットで締め付ける構成を採るため、空中の当該場所における作業を必要とする。
【０００５】
本発明は斯様な従来例の欠点に着目し、支持線に順次連続して巻き付けるスパイラルハンガーの先端（端末）の固定に好適な固定具を提供すべく創案したものである。
【課題を解決するための手段】
【０００６】
電柱間に架設した支持線の嵌合溝を先後方向に沿わせて設け、後端面に設けた接続手段に前記支持線に巻き付けたスパイラルハンガーの端末を接続した固定具本体と、該本体に重ね合わせて止着して前記嵌合溝の先後方向に沿う開口端を閉塞した挟持板を備えると共に、固定具本体の前記嵌合溝の相対する側壁には奥壁面同士が前記後端面側から先端方向に至るに従って次第に近接する傾斜状とした収納部を相対設し、該収納部のそれぞれに、嵌合溝内の前記支持線に接触する一方の片面に相対する他の一方の片面が前記奥壁面の傾斜角度と一致する挟持板を移動自在に係合した、構成とする。
【発明の効果】
【０００７】
本発明によれば、一方の電柱側から他方の電柱側へ送り込んで支持線に沿ってスパイラルハンガーを順次連結して張架した後、後尾側のスパイラルハンガーを牽引すると、最先のスパイラルハンガーは前記一方の電柱側へと移動し、該ハンガーを接続した固定具本体は支持線に沿って移動し、このため本体内の係合切欠に係合した挟持駒の傾斜状の片面を該係合切欠の傾斜状の奥壁面を押圧しつつ移動するから、挟持駒は支持線を確実に挟持する。
【０００８】
従って、スパイラルハンガー端末の固定位置から離れた位置からでも、所謂遠方操作により固定することができ、一方の電柱側から支持線の中間部位置で自在に固定できるから、例えば、交叉点上における固定作業に極めて有効である。
【実施例】
【０００９】
図面は本発明に係るケーブル用スパイラルハンガーの端末固定具の一実施例を示し、図１は使用状態を示す一部欠截正面図、図２は図１の側面図、図３は各部の配置関係を示す略示正面図、図４は正面図、図５は図４の側面図である。
【００１０】
本発明に係る固定具Ａは、固定具主体１と、該固定具主体１の片面１´に設けた凹陥部２に一部を嵌合して該固定具主体１に止着する挟持板３および該挟持板３と前記固定具主体１との間に介在させる一対の挟持駒４，４とで構成するものである。
【００１１】
固定具主体１は、合成樹脂製の方形ブロック体の片面１´の先端縁と両側端縁に連続する突条５を設けて形成した前記凹陥部２を備え、該凹陥部２（前記片面１´）の長手方向（前記先端から後端方向）に沿う中央に形成した嵌合溝６を備えると共に、後端面には螺旋状ケーブルハンガーｈの末端に止着した接続具ｃの接続突子７を設けて成るものである。
【００１２】
嵌合溝６は、前記主体１の片面１´を凹入させて設けたもので、主体１の先端面１ａと後端面ｂを開放して先後の開放端６´，６´´として外界と連通するもので、この嵌合溝６の前記後開放端６´´部を残した中間部の長手方向に沿う両側には最も奥行幅の有る部分とした前記後開放端６´´側の後端から前記先開放端６側の先端に至るに従って次第に奥行幅を狭くして、奥壁面８ａ，８ａ同士が後端側から先端に至るに従って次第に近接する傾斜状（テーパー状）とした収納部８，８を相対設して連通させてある。
【００１３】
挟持板３は前記固定具主体１の片面１´と一致する合成樹脂製の方形板体で成り、主体片面１´に設けた凹陥部２に嵌合する突出段部９を設ける一方、固定具主体１の先端側両側に設けた一対の透孔１０，１０と一致する一対の透孔１１，１１を主体１と同様に先端側両側に設けて構成したものである。
【００１４】
前記挟持駒４は、挟持版３と同様に合成樹脂体で成り、前記先後の開放端６´，６´´を通じるようにして前記嵌合溝６に係合する支持線ｍの長手方向に沿う相対する両側に配するようにして嵌合溝６の両側に設けた収納部８に係合させて用いるもので、収納部８の長さ（先後の）より適量短い長さを備え、前記凹陥部２の底（奥壁）面を基準とした嵌合溝６の深さと同長にし、かつ、収納部８の奥壁が成す傾斜と同角度の傾斜面とした一側面４ａを備え、該一側面に相対して前記支持線ｍに接する側の他の一側面４ｂを直面上としたものである。
【００１５】
これら固定具本体１と挟持板３および挟持駒４とで成る端末固定具Ａは、電柱ｄ，ｄ´間に張架した支持線ｍを固定具本体１に設けた嵌合溝６に挿通係合させ、該支持線ｍを介して嵌合溝６の相対する両側に設けた収納部８に傾斜面（一側面４ａと奥壁面８ａ）同士を合わせるようにして挟持駒４を係合させ、その外側から挟持板３を重ね合わせて透孔１１を通じたボルト１３の先端を本体１側のねじ穴１０に螺合して、本体１と挟持板３を締め付けることにより支持線ｍに組付けられる。
【００１６】
そして、本体１の後端面１ｂに設けた接続突子７（実施例の構造のものに限る必要はない）に前記支持線ｍに巻き付けて電柱ｄ，ｄ´間に吊設する最先の螺旋状ケーブルハンガーｈの先端（端末）を接続し、該ハンガーｈを支持線ｍに巻回しつつ、一方の電柱側から他方の電柱側へと送り出し、次いで、該ハンガーｈの後端（端末）に連結具を介して次段以下のハンガーｈ´の先端を連結して該ハンガーを支持線ｍに巻回しつつ同様に送り出し、更に同様の操作を繰り返して支持線ｍに沿って連結具（図示省略、公知）で接続した必要量のケーブルハンガーを吊設した後、一方の電柱ｄ側から所望のケーブルハンガーにおいて互いに連結状態のケーブルハンガーを支持線ｍに沿って牽引すると、最先のケーブルハンガーｈの先端（端末）に、固定具本体１を接続してあるので、該本体１は牽引操作により一方の電柱ｄ側へと後退することになり、該本体１の収納部８に係合した挟持駒４は本体１に対して自由状態にあるから、本体１に伴われることなく、ほぼ原位置に残ることになる。この結果、収納部８側の奥壁８ａの傾斜面が、挟持駒４側の一側面４ａの傾斜面に沿って移動しつつこれを押圧するから、挟持駒４の一側面４ａに相対する他の一側面４ｂは支持線ｍにより近接してこれを挟持し、固定具Ａ全体として支持線ｍに固定され、この固定具Ａに接続したケーブルハンガーｈの端末は支持線ｍに固定されたことになり、ハンガーを利用したケーブルの張架作業を円滑に行うことができる。
【図面の簡単な説明】
【００１７】
【図１】使用状態を示す一部欠截正面図。
【図２】図１の側面図。
【図３】各部の配置関係を示す略示正面図。
【図４】正面図。
【図５】図４の側面図。
【符号の説明】
【００１８】
１          固定具本体
３          挟持板
６          嵌合溝
８          収納部
８ａ        奥壁面
ｄ，ｄ´    電柱
ｈ          スパイラルハンガー
ｍ          支持線
【図１】
2008043032.tif 000002
【図２】
2008043032.tif 000003
【図３】
2008043032.tif 000004
【図４】
2008043032.tif 000005
【図５】
2008043032.tif 000006